【事件の表示】
　特許第３０２８７２０号「インクジェット記録用紙」の請求項１ないし６に係る特許に対する特許異議の申立てについて、次のとおり決定する。
【結　論】
　訂正を認める。
　特許第３０２８７２０号の請求項１ないし６に係る特許を維持する。
【理　由】
Ｉ．手続の経緯
　本件特許第３０２８７２０号に係る発明は、平成５年１１月２４日に出願され、平成１２年２月４日にその発明について特許の設定登録がなされた。
　本件特許公報は、平成１２年４月４日に発行され、その特許に対して、特許異議申立人旭硝子株式会社より特許異議の申立があり、取消理由通知がなされ、その指定期間内である平成１３年４月２３日付けで訂正請求がなされたものである。
II．訂正の適否についての判断
１．訂正の内容
　平成１３年４月２３日付訂正請求における訂正の内容は、以下のとおりである。
ａ．特許請求の範囲【請求項１】〜【請求項６】の各項の「インクジェット記録用紙」を「水性インクジェット記録用紙」に訂正する。
ｂ．明細書の段落【０００８】、【０００９】の各々の「インクジェット記録用紙」を「水性インクジェット記録用紙」に訂正する。
ｃ．明細書の段落【００３１】の「１０枚すべて問題なく紙送りしたものを○、６〜９枚紙送りしたものを△、０〜５枚しか紙送りしなかったものを×で示した耐風性ついては紙を台の上に垂直にしっかりと固定し、１ｍ離れたところから扇風機で送風し、３時間後の紙の状態を目視で観察した。折れや曲がりのないものを○、折れてはいないがやややや曲がっているものを△、折れてしまったものを×で示した。」を
「１０枚すべて問題なく紙送りしたものを○、６〜９枚紙送りしたものを△、０〜５枚しか紙送りしなかったものを×で示した。耐風性については紙を台の上に垂直にしっかりと固定し、１ｍ離れたところから扇風機で送風し、３時間後の紙の状態を目視で観察した。折れや曲がりのないものを○、折れてはいないがやや曲がっているものを△、折れてしまったものを×で示した。」に訂正する。
２．訂正の目的の適否、新規事項の有無及び拡張・変更の存否
  上記訂正ａで、各請求項の「インクジェット記録用紙」を「水性インクジェット記録用紙」とする訂正は、「インクジェット記録用紙」を、実施例で示される『水性インクを用いたインクジェット方式プリンターの記録用紙』に限定するものであるから、特許法第１２０条の４第２項但し書き第１号に規定する特許請求の範囲の減縮を目的とする訂正に該当するものであって、願書に添付した明細書の範囲内の訂正であって、実質上特許請求の範囲を拡張し又は変更するものではない。
  上記訂正ｂは、上記訂正ａによる特許請求の範囲の減縮の訂正に伴い、特許請求の範囲と発明の詳細な説明欄の記載との不整合を正すものであるから、特許法第１２０条の４第２項但し書き第３号に規定する明瞭でない記載の釈明に該当するものであり、願書に添付した明細書の範囲内の訂正であって、実質上特許請求の範囲を拡張し又は変更するものではない。
  上記訂正ｃは、明細書の文中、句点の脱落を訂正（「示した。」の箇所）、「に」の脱落を訂正（「耐風性について」の箇所）、「やや」の重複を訂正（「やや曲がって」の箇所）するものであるから、明らかな誤記の訂正であり、特許法第１２０条の４第２項但し書き第２号に規定する誤記の訂正に該当するものであって、願書に添付した明細書の範囲内の訂正であり、実質上特許請求の範囲を拡張し又は変更するものではない。
 ３．むすび
　以上のとおりであるから、上記訂正請求は、特許法第１２０条の４第２項及び同条第３項で準用する第１２６条第２〜３項の規定に適合するので、当該訂正を認める。
III．特許異議の申立てについて
１．本件発明
　平成１３年４月２３日付訂正明細書の請求項１〜６に係る発明は、その特許請求の範囲の請求項１〜６に記載される以下のとおりのものである。
「【請求項１】
Ａ）セルロースパルプを主成分とする紙料を抄造してなり、
Ｂ）表面サイズ剤でサイズ処理してなる基紙と、
Ｃ）この基紙の少なくとも一面上に形成され、かつ白色顔料とバインダー樹脂を主成分として含有するインク受容性被覆層とを有し、
Ｄ）前記基紙のＪＡＰＡＮ　ＴＡＰＰＩ　ＮＯ．４０に規定されるガーレー剛度が４００〜１５００ｍｇｆの範囲であり、
Ｅ）かつ該基紙の厚さが１００〜３００μｍの範囲であることを特徴とする
Ｆ）水性インクジェット記録用紙。
【請求項２】紙料が、更にアルキルケテンダイマー、アルケニルコハク酸、無水アルケニルコハク酸系中性サイズ剤より選ばれる内添サイズ剤を含有する、請求項１記載の水性インクジェット記録用紙。
【請求項３】紙料が、更に硫酸バンド又は力チオン澱粉からなる定着剤を含有する、請求項１又は２に記載の水性インクジェット記録用紙。
【請求項４】紙料が、更にクレー、タルク、軽質炭酸カルシウム、焼成カオリン、酸化アルミニウム、水酸化アルミニウム、酸化チタンから選ばれる填料を含有する、請求項１、２又は３に記載の水性インクジェット記録用紙。
【請求項５】紙料が、ポリアクリルアミド系ポリマー又は澱粉からなる紙力増強剤を含有する、請求項１、２、３又は４に記載の水性インクジェット記録用紙。
【請求項６】インク受容性被覆層の白色顔料が４０〜９０重量％であり、インク受容性被覆層の塗工量が３〜２０ｇ／ｍ２である、請求項１記載の水性インクジェット記録用紙。」
（検討の便宜の為、請求項１は、当審にて、分節化して記号Ａ〜Ｆを付している。）
２．特許異議申立の概要
　特許異議申立人は、
甲第１号証：特開平２−５３９９４号公報、
甲第２号証：特開平３−１９９４９１号公報、
甲第３号証：化学便覧　応用化学編II　第１１６７〜１１６９頁
（昭和６１年１０月１５日、丸善株式会社発行）
甲第４号証：ＪＡＰＡＮ　ＴＡＰＰＩ　ＮＯ．４０　全２頁（昭和５８年３月制定）
を提出して、
本件請求項１〜６に係る発明は、それぞれ、甲第１〜４号証に記載された発明から容易に想到しえたものであり、特許法第２９条第２項の規定に違反して特許されたものであるから、特許を取り消すべきと主張している。
３．甲第１〜４号証に記載された発明
（１）甲第１号証に記載された発明
　甲第１号証には、
「「産業上の利用分野」本発明は、印刷用塗被紙の製造方法に関し、特に高温キャレンダー通紙されることにより、平滑性に優れ且つ紙腰及び剛度が付与された印刷用塗被紙を効率よく製造する方法に関するものである。」（第１頁左下欄第１８行〜同頁右下欄第３行）〈記載事項ア〉、
「「従来の技術」近年、印刷物のビジュアル化、カラー化、高級化に伴い、特に印刷用塗被紙の塗被面の高平滑化による印刷適性の改良及び高級感を伴う紙腰、剛度の向上等の要望が高まっている。即ち、印刷技術の進歩に伴う高速化による印刷適正品質と同時に重量感のある紙腰の高い塗被紙が要望されている。・・・しかし、スーパーキャレンダーの場合、平滑性は得られ易いものの、密度が高くなり過ぎ紙腰がスーパーキャレンダー処理前に比較して３０〜４０％も低下してしまい、結果として塗被紙としての高級感が損なわれる。又、グロスキャレンダーでは、塗被層のごく表面層の変化しか起こらないために、紙腰の低下は大きくならないが、反面十分な平滑性が得られない。」（第１頁右下欄第４行〜第２頁左上欄第１７行）〈記載事項イ〉、
「一般に接着剤の量は顔料１００重量部に対して５〜５０重量部、より好ましくは１０〜３０重量部程度の範囲で調節される。・・・その際の塗料組成物の固形分濃度は、一般に４０〜７５重量％程度であるが、操業性を考慮すると、４５〜７５重量％の範囲が望ましい。」（第３頁左下欄第１１行〜同頁右下欄第１９行）〈記載事項ウ〉、
「原紙の動的濡れ値のコントロールは、パルプ組成、叩解条件、填料の種類と添加量、紙力剤、内添サイズ剤、ｐＨ、表面サイズ剤、表面処理剤、乾燥条件等は個々の抄紙機条件により適宜選択して決定される。」（第３頁右下欄末行〜第４頁左上欄第４行）〈記載事項エ〉、
「なお、本発明において使用される原紙の米坪としては３０〜４００ｇ／ｍ２程度のものが目的に応じて適宜使用される。」（第４頁左上欄第７〜９行）〈記載事項オ〉、
と記載され、さらに、実施例１〜３として、
動的濡れ値が特定の範囲になるように抄造・調製された米坪が７０ｇ／ｍ２の原紙に、白色顔料（「サチンホワイト（白石工業社製）１０部、カオリン（ＵＷ−９０／ＥＭＣ社製）８０部、重質炭酸カルシウム（ソフトン１８００／備北粉化工業社製）１０部」計１００部）と、特定のガラス転移温度Tgの重合体ラテックスを含むバインダー樹脂（「ポリアクリル酸ソーダ０．２部、酸化澱粉２部、スチレン−ブタジエン共重合体ラテックス（Tg＝２０℃）２０部（固形分）」計２２．２部）との塗被液（白色顔料の重量割合：１００／１２２．２＝８１．８重量％）を塗布、キャレンダー処理してインク受容性被覆層（塗工量：２０ｇ／ｍ２）を設けた、ガーレー剛度が４００〜４２０で、平滑性、紙腰、剛度の高い印刷用塗被紙の製造例〈記載事項カ〉、
が記載されている。
（２）甲第２号証に記載された発明
　甲第２号証には、
「「産業上の利用分野」本発明は、印刷用塗被紙の製造方法に関し、特に剛度が優れ、且つ光沢、平滑性、白色度及び表面強度の優れた印刷用塗被紙を製造する方法に関するものである。」（第１頁左下欄第１９行〜同頁右下欄第３行）〈記載事項キ〉、
「「従来の技術」一般に塗被紙と呼ばれるものは、原紙表面に顔料及び接着剤を主成分とする塗被組成物を塗被して製造されるが、その製造方法或いは用途により、キャストコート紙、アート紙、コート紙、微塗工紙等の印刷用塗被紙や感熱記録紙、感圧記録紙、静電記録紙、インクジェット用紙、タック紙等の特殊紙様塗被紙に分類され、その殆どがパンフレット、カレンダー、週刊誌、書籍、包装用紙や各種情報用紙として利用されている。特に、近年パンフレット、カレンダー、週刊誌、書籍、包装用紙等の印刷用塗被紙の需要が著しく伸びているが、その一方で、印刷物のビジュアル化、カラー化、高級化、及び軽量化や薄物化が進み、印刷用塗被紙の光沢度、白色度、平滑性の向上は勿論のこと、高級感覚を伴う剛度（紙腰）等の改善要望が高まっている。また、印刷技術の進歩と共に高速印刷が行われるようになり、そのような印刷技術に付随して、或いは薄物化とも相俟って印刷作業適性の優れた紙腰の強い印刷用塗被紙が要望されている。」（第１頁右下欄第３行〜第２頁日明上欄第４行）〈記載事項ク〉、
「原紙の濡れ性を調整し、特定の動的濡れ値（濡れ性を示す１つの指標）を有する原紙上に、上述の如きコロイダルシリカが配合されてなる塗被液を塗被することによって、これらの組合わせによる相乗効果によって、剛度が極めて顕著に向上し、しかも、光沢度、白色度、平滑性及び表面強度の優れた印刷用塗被紙が得られることを見出したのである。」（第３頁右下欄第１６行〜第４頁左上欄第３行）〈記載事項ケ〉、
「なお、原紙の動的濡れ値を調整する方法としては、例えば、ロジン系、石油樹脂系、アルキルケテンダイマ一系、アルケニル無水コハク酸系及び無水ステアリン酸系等の各種内添サイズ剤を・・・パルプスラリー中に添加する方法、或いは、原紙表面にサイズプレス、・・・各種澱粉、ポリビニルアルコール、カルボキシメチルセルロース、ポリアクリルアミド等及びこれらの誘導体又は変性物を含む水溶性ポリマーを塗布し表面サイズする方法等によって行うことも可能である。」（第４頁左下欄第７〜１９行）〈記載事項コ〉、
「填料の種類は特に限定するものではなく、・・・タルク、カオリン、クレー、焼成力オリン、デラミカオリン、重質炭酸カルシウム、軽質炭酸カルシウム、炭酸マグネシウム、水酸化アルミニウム、二酸化チタン・・・の中から一種又は二種以上を適宜選択して使用でき、さらに故紙やプロークなどに含まれる填料も有効に使用できる。」（第５頁左上欄第１６行〜同頁右上欄第８行）〈記載事項サ〉、
「原紙への塗被量は、通常乾燥重量で片面当たり２〜５０ｇ／ｍ２程度であるが、得られる塗被紙の白紙品質、印刷適性等を考慮すると５〜３０ｇ／ｍ２程度の範囲で調節するのが望ましい。」（第６頁左下欄第１２〜１５行）〈記載事項シ〉が記載され、
さらに、実施例１として、
ＮＢＫＰ等のパルプスラリーに、炭酸カルシウム（填料）、硫酸バンド（定着剤）、カチオン澱粉（定着剤）、アルキルケテンダイマー（内添サイズ剤）、ポリアクリルアミド（紙力増強剤）を添加、抄造した紙に、動的濡れ値が特定の範囲になるよう、表面サイズ剤によりサイズ処理して抄造・調製された原紙上に、コロイダルシリカを含む白色顔料とバインダー樹脂との塗被液を塗布してインク受容性被覆層を設けた、剛度、光沢、平滑性、白色度の高い印刷用両面塗被紙の製造例〈記載事項ス〉、
が示されている。
（３）甲第３号証に記載された発明
　甲第３号証には、
印刷用紙の製造に用いられる種々の紙用副資材、即ち、内添サイズ剤としてアルケニルケテンダイマー、アルケニル無水コハク酸（第１１６８頁）、パルプ定着促進のための配合剤として硫酸アルミニウム（硫酸バンド）（第１１６７頁）、紙力増強剤としてデンプン誘導体（酸化、陽イオン）、ボリアクリルアミド誘導体（第１１６８頁表１５．１０２）、填料として焼成クレー、夕ルク、沈降性炭酸カルシウム、力オリン、二酸化チタン（第１１６７頁表１５．１０１）が記載されている。
（４）甲第４号証に記載された発明
　甲第４号証には、
本件特許請求項１で引用される規格「ガーレー剛度」に関して、荷重曲げ法による紙及び板紙のこわさ試験方法（ガーレー法）、ガーレーこわさ（ガーレー剛度）の試験装置、試験片、操作、計算式、その他算出条件等が記載され、
また、こわさ（ガーレー剛度）の単位としては、ｍｇｆを用いること
が記載されている。
４．検討・判断
（１）請求項１に係る発明について
　本件請求項１に係る発明と、甲第１号証に記載された発明とを対比するに、
後者の「原紙」、「塗被紙」、「塗工層」は、前者の「基紙」、「記録用紙」、「インク受容性被覆層」に相当し、また、
後者には、実施例でキャレンダー処理を経て得られた記録用塗工紙のガーレー剛度が４００〜４２０であること（記載事項ウ参照）及びキャレンダー処理で紙腰が低下すること（記載事項イ参照）が記載されているので、基紙のガーレー剛度は、直接の記載がないものの、得られた記録用塗工紙のガーレー剛度よりも大きいものと解されるので、実質的に、基紙のガーレー剛度が４００〜１５００ｍｇｆの範囲にあるもの（構成Ｄ）が示されているといえるから、
両者は「Ａ）セルロースパルプを主成分とする紙料を抄造してなり、
Ｃ）この基紙の少なくとも一面上に形成され、かつ白色顔料とバインダー樹脂を主成分として含有するインク受容性被覆層とを有し、
Ｄ）前記基紙のＪＡＰＡＮ　ＴＡＰＰＩ　ＮＯ．４０に規定されるガーレー剛度が４００〜１５００ｍｇｆの範囲である、
記録用紙。」で一致し、
本件請求項１に係る発明が、基紙の表面サイズ剤によるサイズ処理を必須とする（構成Ｂ）のに対して、甲第１号証の発明が、適宜選択の事項とする点（構成Ｂに係る相違点）、
本件請求項１に係る発明が、記録用紙の用途を「水性インクジェット用」と限定する（構成Ｆ）のに対して、甲第１号証の発明が、「印刷用」と限定する点（構成Ｆに係る相違点）、及び、
本件請求項１に係る発明が、基紙の厚さを１００〜３００μｍと規定する（構成Ｅ）のに対して、甲第１号証の発明が、それを特に規定しない点（構成Ｅに係る相違点）で相違する。
　先ず、構成Ｆに係る相違点について検討する。
甲第１号証の発明の「印刷用」とは、高級な質感の印刷物を高速で印刷する用途と記載されており（記載事項ア、イ参照）、油性インクを使用する一般的な商業印刷用途を意味していることが明らかである。
　一方、本件請求項１に係る発明の「水性インクジェット用」とは、水性インク由来の「印字後の紙のぼこつき」や、「乾燥が遅くロールにインクが付着し、汚れてしまう」問題を抑制しつつ（第１９〜２１段落参照）パソコン連動のパーソナル水性インクジェットプリンターで印字出力する（実施例参照）用途と記載されており、甲第１号証の「印刷用」とは、単なる文言上の差異や、用途範囲の広・狭の違いに止まるものではなく、使用インク、使用機器、速度等全く相違しており、相容れないものである。
　この構成Ｆに係る相違点につき、異議申立人は、甲第２号証に、
甲第１号証と同様、基紙とその片面上の白色顔料とバインダー樹脂を含むインク受容性被覆層とからなり高剛度の記録用紙が記載され、その用途として「インクジェット記録用紙」が記載されているから、それら記載をもとに、甲第１号証の記録用紙を「インクジェット用」とすることは、当業者であれば容易になし得ることと主張する。
　そこで、甲第２号証の記載内容を詳細に検討するに、
「印刷用塗被紙の製造方法」に係る同文献中には、「インクジェット記録用紙」なる字句が記載されているものの、該「インクジェット記録用紙」は、同文献で詳細に記述されている「印刷用塗被紙」とは別異のカテゴリー、「特殊紙用塗被紙」に分類されるものとして例示されているに過ぎず（記載事項ク参照）、
また、同文献でいう「印刷用塗被紙」は、専ら、「パンフレット、カレンダー、週刊誌、書籍、包装用紙等」（記載事項ク参照）、油性インクを使用する一般的な商業印刷用途に係るものであることが明らかである。
　したがって、甲第２号証に、基紙とその片面上の白色顔料とバインダー樹脂を含むインク受容性被覆層とからなり高剛度の記録用紙を「インクジェット用」とすることが記載されている、との異議申立人の主張は、認められない。
　さらに、甲第２号証には、水性インクに特化した「水性インクジェット記録用紙」については、何らの記載も示唆もない。
　結局、甲号各証から、構成Ｆを見出すことは出来ない。
　次いで、構成Ｂに係る相違点について検討する。
甲第２号証には、基紙を表面サイズ剤でサイズ処理することが一応記載されているが、その目的は、一般的な商業印刷用途に好適な諸特性（高速印刷に適した紙腰、光沢度、白色度、平滑性、表面強度等）を得るためとされ（記載事項ケ、コ参照）、本件の「水性インクジェット用」とは相容れない使用態様に向けての処理技術であるから、甲第２号証の記載をもとに、構成Ｂを導入することは出来ない。
　構成Ｅに係る相違点について検討する。
異議申立人は、甲第１号証には、基紙の厚さについて直接の規定はないが、基紙の重量について、「３０〜４００ｇ／ｍ２のものが目的に応じて適宜使用される」（記載事項オ参照）と記載され、パルプ成分の比重変動は少ないから、間接的に、１００〜３００μｍと重複する基紙の厚さ範囲が示されている旨主張するが、実際に、基紙重量と基紙比重から、基紙の厚さを算出しての具体的な説明は一切なされていない。
　一方、甲第１号証の基紙は、填料の種類と添加量は適宜選択とされ、表面処理等の条件も適宜選択とされ（記載事項エ参照）、基紙比重に大きな幅が設定されているものの、実施例にも基紙比重に係る記載は無いから、その基紙比重を推定することは困難である。
  してみると、甲第１号証の基紙の重量の規定をもとに、基紙の厚さを読み取ることは実質的に不可能であり、異議申立人の主張は認められない。
　結局、甲号各証から、構成Eを見出すことは出来ない。
　一方、本件請求項１に係る発明では、それら相違点に係る構成等により、印字後のぼこつき抑制、インク吸収性、発色の鮮やかさ、プリンター走行性、耐風性等に優れるとの明細書（第３０〜３２段落）記載の効果をもつものであり、それらの顕著な効果は、甲号各証に記載のものからは予期することができないものである。
　従って、本件請求項１に係る発明は、甲号各証の記載に基づいて、当業者が容易に発明し得たものとはいえず、特許法第２９条第２項の規定に違反して特許されたものとはいえない。
　請求項２〜６に係る発明は、いずれも、請求項１に係る発明を更に限定するものであるから、請求項１に係る発明と同様の理由により、甲号各証の記載に基づいて、当業者が容易に発明し得たものとはいえず、特許法第２９条第２項の規定に違反して特許されたものとはいえない。
５．むすび
　以上のとおりであり、特許異議申立の理由及び証拠によっては、本件請求項１〜６の発明の特許を取り消すことはできない。
 また、他に本件請求項１〜６の発明の特許を取り消すべき理由を発見しない。
　よって、結論のとおり決定する。
【異議決定日】
平成１３年１０月２６日（２００１．１０．２６）
【訂正の要旨】
訂正の要旨
　特許第３０２８７２０号発明の特許明細書を　下記のとおり訂正する。
ａ．特許請求の範囲【請求項１】〜【請求項６】の各項の「インクジェット記録用紙」を特許請求の範囲の減縮を目的として、「水性インクジェット記録用紙」に訂正する。
ｂ．明細書の段落【０００８】、【０００９】の各々の「インクジェット記録用紙」を明瞭でない記載の釈明を目的として、「水性インクジェット記録用紙」に訂正する。
ｃ．明細書の段落【００３１】の「１０枚すべて問題なく紙送りしたものを○、６〜９枚紙送りしたものを△、０〜５枚しか紙送りしなかったものを×で示した耐風性ついては紙を台の上に垂直にしっかりと固定し、１ｍ離れたところがら扇風機で送風し、３時間後の紙の状態を目視で観察した。折れや曲がりのないものを○、折れてはいないがやややや曲がっているものを△、折れてしまったものを×で示した。」を誤記の訂正を目的として、
「１０枚すべて問題なく紙送りしたものを○、６〜９枚紙送りしたものを△、０〜５枚しか紙送りしなかったものを×で示した。耐風性については紙を台の上に垂直にしっかりと固定し、１ｍ離れたところがら扇風機で送風し、３時間後の紙の状態を目視で観察した。折れや曲がりのないものを○、折れてはいないがやや曲がっているものを△、折れてしまったものを×で示した。」に訂正する。
（５４）【発明の名称】
インクジェット記録用紙
（５７）【特許請求の範囲】
　【請求項１】　セルロースパルプを主成分とする紙料を抄造してなり、表面サイズ剤でサイズ処理してなる基紙と、この基紙の少なくとも一面上に形成され、かつ白色顔料とバインダー樹脂を主成分として含有するインク受容性被覆層とを有し、前記基紙のＪＡＰＡＮ　ＴＡＰＰＩ　Ｎｏ．４０に規定されるガーレー剛度が４００〜１５００ｍｇｆの範囲であり、かつ該基紙の厚さが１００〜３００μｍの範囲であることを特徴とする
水性
　【請求項２】　紙料が、更にアルキルケテンダイマー、アルケニルコハク酸、無水アルケニルコハク酸系中性サイズ剤より選ばれる内添サイズ剤を含有する、請求項１記載の
水性
　【請求項３】　紙料が、更に硫酸バンド又はカチオン澱粉からなる定着剤を含有する、請求項１又は２に記載の
水性
　【請求項４】　紙料が、更にクレー、タルク、軽質炭酸カルシウム、焼成カオリン、酸化アルミニウム、水酸化アルミニウム、酸化チタンから選ばれる填料を含有する、請求項１、２又は３に記載の
水性
　【請求項５】　紙料が、ポリアクリルアミド系ポリマー又は澱粉からなる紙力増強剤を含有する、請求項１、２、３又は４に記載の
水性
　【請求項６】　インク受容性被覆層が白色顔料を４０〜９０重量％含み、インク受容性被覆層の塗工量が３〜２０ｇ／ｍ２である、請求項１記載の
水性
【発明の詳細な説明】
　【０００１】
　【産業上の利用分野】
　本発明は、被記録材に関し、詳しくは、優れた色彩の発色、ドット形状等の特性を持ち、かつ腰のあるインクジェット記録用シートに関するものである。
　【０００２】
　【従来の技術】
　水性インクを用いるインクジェット方式のプリンターの性能、特にプリント速度、解像度、彩度などの向上によって、被記録材に対しても高速吸収性、高吸収容量、規則的なインクにじみ等、より高度な特性が要求されるようになり、インク受容性被覆層を表面に設けたいわゆる塗工紙が開発されている。
　【０００３】
　例えば、特開昭６２−１５８０８４号公報には、微粒子合成シリカを用い、高い水性インク吸収性、色再現性及び色濃度を持つインクジェット記録媒体の製造方法が開示されている。即ち、前記した要求特性に応じるために、微粒子合成シリカのような吸液性の優れた白色顔料を主成分とする被覆層をセルロースパルプを主成分とする基紙の表面に設けることが通常実施されている。
　【０００４】
　一方、近年、インクジェットプリンターの用途拡大に伴ない、従来の書類等のオフィス文書からカラーを主に用いた広告物、特に購買時点広告（Ｐｏｉｎｔ　ｏｆ　Ｐｕｒｃｈａｓｅ　Ａｄｖｅｒｔｉｓｉｎｇ、以下，ＰＯＰ広告と略す）としての用途が広まっている。インクジェット記録は印刷と違い、製版する必要がないため、少量でも印刷が可能であり、コストも易くなる。
　また、ＰＯＰ広告としての用途が拡張するにつれ、プライスカードやショーケース内のディスプレー用などにも使用されるようになり、従来のオフィス文書等で用いられてきた薄手の記録用紙から腰のある、厚手のインクジェット記録用紙が求められている。ＰＯＰ広告は購買者に商品の内容、価格等を知らせるためのものであり、従来の薄手の記録用紙では表示中に倒れたり、風などの自然現象によって折れてしまうなどの問題があった。
　【０００５】
　特開平５−１３９０２３号公報には、坪量２０〜２００ｇ／ｍ２の基紙に微粒子合成珪酸を含む塗料で塗工したインクジェット記録用紙が開示されているが、坪量が大きいだけでは上記の問題点は解決できず、これまでにかようなインクジェット記録用紙はなかった。
　【０００６】
　【発明が解決しようとする課題】
　本発明は、水性インクによるインクジェット方式のプリンターを用いて高品位の画像を高速でプリントすることができ、しかも印字後も腰のある水性インクジェット記録用紙を提供しようとするものである。
　【０００７】
　【課題を解決するための手段】
　本発明者等は、かかる現状に鑑み基紙の腰に関して鋭意研究した結果、ガーレー剛度が４００〜１５００ｍｇｆ、かつ厚さが１００〜３００μｍである基紙面に白色顔料とバインダー樹脂とを主成分とするインク受容性被覆層を設けることによって、インクジェット方式でプリントすると高品位で高発色な画像が得られ、さらに印字物に腰があり、展示等で使用しても倒れたり、折れ曲がったりしないことを見いだし、本発明を完成させるに至った。
　【０００８】
　すなわち、本発明に係わる
水性
　【０００９】
　また、本発明に係わる
水性
　【００１０】
　本発明に用いられるインク受容性被覆層に用いられる顔料は多孔性でインクの吸収性が高く、且つ鮮明な発色を可能とする白色顔料を主成分とすることが好ましい。このような顔料としては、微粒子合成シリカ、ゼオライト、炭酸カルシウム、珪酸カルシウム、水酸化アルミニウム、焼成クレー、カオリンクレー、タルク、ホワイトカーボン、有機顔料（プラスチックピグメント）等、一般に紙塗工に用いられている顔料が挙げられる。
　【００１１】
　このような顔料の使用比率は、全被覆層固形分の４０〜９０重量％、好ましくは５０〜８０重量％である。４０％未満ではインク吸収性が不十分となり、９０重量％を越えるとインク受容性被覆層の強度の低下が懸念されるので不適である。
　【００１２】
　本発明のバインダー樹脂としては、ポリビニルアルコールおよびその誘導体、カゼイン等の蛋白質、澱粉、およびその澱粉誘導体、スチレン−ブタジエン共重合体、メチルメタクリレート−ブタジエン共重合体等の共役ジエン系重合体ラテックス、アクリル酸エステルおよびメタクリル酸エステルの重合体または共重合体等のアクリル系重合体ラテックス、エチレン−酢酸ビニル共重合体等のビニル系重合体ラテックス、あるいはこれらの各種重合体のカルボキシル基、カチオン性基等の官能基含有変性重合体ラテックス、メラミン樹脂、尿素樹脂等の熱硬化樹脂等の合成樹脂系の水性接着剤、無水マレイン酸共重合樹脂系、ポリアクリルアミド系、ポリメチルメタクリレート系、ポリウレタン樹脂系、不飽和ポリエステル樹脂系、ポリビニルブチラール系、アルキッド樹脂系等の合成樹脂系接着剤などの高分子が、顔料との接着性が良く、かつ水性インクとの親和性が良いため、吸液性を向上させるので、好ましく用いられる。
　【００１３】
　インク受容性被覆層におけるバインダー樹脂の使用比率は、全被覆層固形分の１０〜６０重量％、好ましくは２０〜５０重量％である。１０％未満では接着力が不十分となり、被覆層の強度の低下が懸念される。一方、６０％を越えると接着性は大きくなるものの、顔料の使用比率が低下し、前記したようにインクの吸収性に問題が生じるので不適である。
　【００１４】
　本発明に用いられるシート支持体に含有されるパルプ材は赤松、黒松、エゾマツ、トドマツ、杉等の針葉樹、ブナ、カバ、シイノキ等の広葉樹等を主原料とした砕木パルプ、亜硫酸パルプ、クラフトパルプ、セミケミカルパルプ、ケミグランドパルプ、リファイナーグランドパルプやまたは古紙パルプから適宜選択して用いられる。
　【００１５】
　本発明で用いられるシート支持体としての基紙は、上記の木材パルプを主原料として、添加剤としてアルキルケテンダイマー、アルケニルコハク酸等の内添サイズ剤、硫酸バンド、カチオン澱粉等の定着剤、クレー、タルク、軽質炭酸カルシウム、焼成カオリン、酸化アルミニウム、水酸化アルミニウム、酸化チタン等の填料、ポリアクリルアミド系ポリマー、澱粉等の紙力増強剤等を適宜選択して内添し、公知の抄紙機で抄造された基紙が好適に用いられる。
　【００１６】
　また、ロジン系、石油樹脂系、酸化澱粉、アセチル化澱粉、ヒドロキシエチル化澱粉等の澱粉およびその誘導体、ポリビニルアルコールおよびその誘導体、スチレン、アルキド、ポリアミド、アクリル、オレフィン、マレイン酸、酢酸ビニル等の２つ以上の共重合体からなる合成樹脂系およびこれらの合成樹脂エマルジョン系、ワックス系等の表面サイズ剤でサイズ処理を施す。
　【００１７】
　また、厚さを調整するため、必要に応じてマシンカレンダー、スーパーカレンダー等の公知の設備を用いることも可能である。本発明に用いられる基紙の坪量はプリントの最終用途によって決定されるが、５０〜３００ｇ／ｍ２、好ましくは７０〜２５０ｇ／ｍ２のものが用いられる。
　【００１８】
　本発明で用いられる基紙のＪＡＰＡＮ　ＴＡＰＰＩ　Ｎｏ．４０に規定されるガーレー剛度は、４００〜１５００ｍｇｆである。ガーレー剛度が４００ｍｇｆ未満では用紙としての腰が弱く、展示等で使用したときに倒れたり、風などで折れ曲がったりするので不適である。一方、１５００ｍｇｆを越えると耐折、耐曲等の問題はないが、印字するときの走行性に支障をきたし、印字不良、走行性不良等の問題を引き起こすためやはり不適である。
　【００１９】
　本発明で用いられる基紙の厚さは、１００〜３００μｍである。厚さが１００μｍ未満では、印字後の紙のぼこつき等の問題があり、一方３００μｍを越えると印字する際の紙の走行性トラブルが発生し、不適である。
　【００２０】
　本発明のインクジェット記録用紙において、受容性被覆層を形成する塗料の塗工にはバーコーター、エアナイフコーター等の公知の塗工設備が応用される。基紙上にインク受容性被覆層を設けたシートは、そのまま本発明の記録用紙として使用することが可能であるが、例えばスーパーカレンダー、グロスカレンダー等で処理し、表面の平滑性を与えることも可能である。
　【００２１】
　本発明で得られるインク吸収性被覆層の塗工量は、最終用途によって決定され、インク吸収性、記録特性、保存性等を満足させるかぎり不必要に多くする必要はなく、３〜２０ｇ／ｍ２の範囲から適宜選択して用いられる。インク受容性被覆層が３ｇ／ｍ２未満では多くの場合インク吸収容量が不足し、画像が流れ出したり、色にじみ込みが生じ、画像がぼけてしまったり、乾燥が遅くロールにインクが付着し、汚れてしまう。しかしながら、２０ｇ／ｍ２を越えるインク受容性被覆層を設けると、塗工層が厚いため紙との接着性が弱くなり、ヘッドノズルの目づまりのような問題を生じることが多く、さらにコスト的にも高価なものとなる。
　【００２２】
　【実施例】
　以下に実施例を挙げて本発明をより具体的に説明するが、勿論本発明はこれによって限定されるものではない。尚、以下において部および％とあるのは、すべて重量部および重量％を示す。
　【００２３】
実施例１
　軽質炭酸カルシウム２０部を、広葉樹晒クラフトパルプ１００部のスラリー中に添加し、カオチン澱粉１部、無水アルケニルコハク酸系中性サイズ剤０．２部を添加し、十分に混合して抄紙原料とし、長網多筒式抄紙機を用いて水分を１０％まで乾燥させ、サイズプレスで酸化澱粉の７％溶液を両面で４ｇ／ｍ２塗布、乾燥し、水分７％まで乾燥させて米坪１６５ｇ／ｍ２の上質紙を製造した。得られた上質紙の厚さは２５０μｍ、ガーレー剛度は１３４２ｍｇｆであった。
　得られた上質紙の片面に実験室においてテストブレードコーターを用いて塗料−１を９ｇ／ｍ２の割合で塗工、乾燥して被覆層を形成し、インクジェット記録用紙を製造した。
　【００２４】
塗料−１
　　沈降性炭酸カルシウム　　　　　　　　　　　１００部
　　　（ユニバー７０：白石工業製）
　　ポリビニルアルコール　　　　　　　　　　　　３０部
　　　（ＰＶＡ１１７：クラレ製）
　【００２５】
実施例２
　軽質炭酸カルシウム２５部を、広葉樹晒クラフトパルプ８０部、針葉樹晒クラフトパルプ２０部のスラリー中に添加し、カオチン澱粉０．８部、アルキルケテンダイマー系中性サイズ剤０．０６部を添加し、十分に混合して抄紙原料とし、長網多筒式抄紙機を用いて水分を１０％まで乾燥させ、サイズプレスで酸化澱粉の７％溶液を両面で３ｇ／ｍ２塗布、乾燥し、水分７％まで乾燥させて米坪１３５ｇ／ｍ２の上質紙を製造した。得られた上質紙の厚さは１５２μｍ、ガーレー剛度は８３０ｍｇｆであった。
　得られた上質紙の片面に実験室においてテストバーコーターを用いて塗料−２を１０ｇ／ｍ２の割合で塗工、乾燥して被覆層を形成し、インクジェット記録用紙を製造した。
　【００２６】
塗料−２
　　微粒子珪酸　　　　　　　　　　　　　　　　１００部
　　　（ファインシール：徳山曹達（株）製）
　　ポリビニルアルコール　　　　　　　　　　　　２５部
　　　（Ｒ−１１３０：クラレ（株）製）
　【００２７】
実施例３
　実施例２で作製した上質紙をマシンカレンダー処理し、実施例１とは厚さの異なった上質紙を作製した。得られた上質紙の厚さは１１０μｍ、ガーレー剛度は５４０ｍｇｆであった。
　得られた上質紙の片面に実験室においてテストバーコーターを用いて塗料−２を１０ｇ／ｍ２の割合で塗工、乾燥して被覆層を形成し、インクジェット記録用シートを製造した。
　【００２８】
比較例１
　軽質炭酸カルシウム２０部を、広葉樹晒クラフトパルプ１００部のスラリー中に添加し、カオチン澱粉０．７部、アルキルケテンダイマー系中性サイズ剤０．０５部を添加し、十分に混合して抄紙原料とし、長網多筒式抄紙機を用いて水分を１０％まで乾燥させ、サイズプレスで酸化澱粉の７％溶液を両面で３ｇ／ｍ２塗布、乾燥し、水分７％まで乾燥させて米坪８２ｇ／ｍ２の上質紙を製造した。得られた上質紙の厚さは９３μｍ、ガーレー剛度は３７０ｍｇｆであった。
　得られた上質紙の片面に実験室においてテストエアナイフコーターを用いて塗料−１を９ｇ／ｍ２の割合で塗工、乾燥して被覆層を形成し、インクジェット記録用紙を製造した。
　【００２９】
比較例２
　軽質炭酸カルシウム２０部を、広葉樹晒クラフトパルプ１００部のスラリー中に添加し、カオチン澱粉１部、無水アルケニルコハク酸系中性サイズ剤０．２部を添加し、十分に混合して抄紙原料とし、長網多筒式抄紙機を用いて水分を１０％まで乾燥させ、サイズプレスで酸化澱粉の７％溶液を両面で４ｇ／ｍ２塗布、乾燥し、水分７％まで乾燥させて米坪２５０ｇ／ｍ２の上質紙を製造した。得られた上質紙の厚さは３４０μｍ、ガーレー剛度は１６３０ｍｇｆであった。
　得られた上質紙の片面に実験室においてテストブレードコーターを用いて塗料−２を１０ｇ／ｍ２の割合で塗工、乾燥して被覆層を形成し、インクジェット記録用紙を製造した。
　【００３０】
　これらの各塗工紙の評価結果を表１に示す。インクジェット記録特性の評価は次の方法によった。
　インクジェットプリンター（Ｄｅｓｋ　Ｗｒｉｔｅｒ−Ｃ：ＨＰ社製）を用い、インク吸収性、発色の鮮やかさ、プリンター走行性、印字後の紙のぼこつきおよび耐風性について行なった。
　インク吸収性の評価は、プリントしたインクが乾燥するまでの秒数を測定した。５秒以下を○、６〜１０秒を△、１１秒以上を×で示した。
　発色の鮮やかさは、イエロー、マゼンタ、シアンのカラーインクの発色を目視で評価した。発色の良いものを○、不十分なものを△、更に不良なものを×で示した。
　【００３１】
　走行性は、インクジェットプリンターのシートスタックに１０枚紙を入れ、全く人の手を加えない状態での紙送りの状態を調べた。１０枚すべて問題なく紙送りしたものを○、６〜９枚紙送りしたものを△、０〜５枚しか紙送りしなかったものを×で示した
。
　耐風性
に
がや
　また、ガーレー剛度の測定方法はＪＡＰＡＮ　ＴＡＰＰＩ　Ｎｏ．４０に記載されている方法によった。
　【００３２】
　表１からわかるように、本発明の実施例により得られたインクジェット記録用シートは、インク吸収性、発色の鮮やかさに関しては比較例のものと差はないが、プリンター走行性、耐風性については比較例のものより本発明の実施例のもののほうが優れている。また、印字後のぼこつきについても本発明の実施例のものは、比較例のものに比べて優れていることが観察された。
　【００３３】
　【表１】
　【００３４】
　【発明の効果】
　本発明のインクジェット記録用紙は、インクの吸収性、発色性に優れているだけでなく、記録用紙自身に腰があるため、別口で土台を設けたりすることなしに特殊用途（購買時点広告、例えばプライスカード等）に適したインクジェット・プリント・システムを可能ならしめるものである。